(57)【要約】【課題】簡単に二重トラップを解消することができる設備専用の排水トラップ及び封水筒を提供する。【解決手段】１つの水周り設備のみに用いられる設備専用の排水トラップにおいて封水を貯留する封水貯留部に着脱可能に取り付けられる封水筒であって、上方部と、前記上方部の下方側に配置された下方部と、を備え、前記封水貯留部に取り付けられた状態において、前記上方部の下端は前記封水貯留部の封水の最高水位よりも上方に配置されるとともに、前記下方部の一部は前記最高水位よりも下方に配置され、前記下方部の少なくとも一部の硬さは、前記上方部の硬さよりも低く、前記封水貯留部に取り付けられた状態において、前記下方部の前記少なくとも一部の上端は前記最高水位よりも上方に配置されることを特徴とする封水筒である。【選択図】図１
2020197124.tif 000002
【特許請求の範囲】
【請求項１】
１つの水周り設備のみに用いられる設備専用の排水トラップにおいて封水を貯留する封水貯留部に着脱可能に取り付けられる封水筒であって、
上方部と、
前記上方部の下方側に配置された下方部と、
を備え、
前記封水貯留部に取り付けられた状態において、前記上方部の下端は、前記封水貯留部の封水の最高水位よりも上方に配置されるとともに、前記下方部の一部は前記最高水位よりも下方に配置され、
前記下方部の少なくとも一部の硬さは、前記上方部の硬さよりも低く、
前記封水貯留部に取り付けられた状態において、前記下方部の前記少なくとも一部の上端は前記最高水位よりも上方に配置されることを特徴とする封水筒。
【請求項２】
前記下方部は、前記最高水位よりも上方の部分において切断されることにより、前記排水トラップのトラップ機能を失わせることができることを特徴とする請求項１記載の封水筒。
【請求項３】
前記下方部の前記少なくとも一部の色は、前記上方部の色よりも濃いことを特徴とする請求項１又は２に記載の封水筒。
【請求項４】
１つの水周り設備のみに用いられる設備専用の排水トラップであって、
封水を貯留する封水貯留部と、
請求項１〜３のいずれか１つに記載の封水筒と、
を備えたことを特徴とする排水トラップ。
【発明の詳細な説明】
【技術分野】
【０００１】
本発明の態様は、一般的に、設備専用の排水トラップ及びこれに用いられる封水筒に関する。
【背景技術】
【０００２】
浴室や洗濯機パンなどの水周り設備に取り付けられ、１つの水周り設備からの排水のみを受けて排水管に流出させる設備専用の排水トラップがある。排水トラップは、内部に封水を貯留することにより、排水管からの臭気や害虫などが設備側に向かうことを抑制する。こうした排水トラップにおいて、例えば、封水筒を有する構成が知られている。
【０００３】
上記のような排水トラップを有する水周り設備をリフォームなどで戸建住宅に導入する際、戸建住宅には、複数の水周り設備で共通に使用される排水トラップ（排水枡）が予め設けられていることがある。このため、水周り設備の導入後に、この水周り設備専用の排水トラップの下流に、予め設けられている排水トラップが接続されてしまう可能性がある。このような状態は、例えば、二重トラップと呼ばれる。
【０００４】
二重トラップになると、水周り設備の排水性が悪化してしまう。二重トラップを防ぐために、予め現場を確認し、二重トラップとならないように対策をとることも可能であるが、確認者のミスなどにより、誤って二重トラップとなってしまう恐れがある。この場合、予め設けられている排水トラップを除去するなど、大掛かりな工事が必要となる場合がある。
【０００５】
このため、設備専用の排水トラップ及びこれに用いられる封水筒では、誤って二重トラップになってしまった場合に、簡単に二重トラップを解消できるようにすることが望まれる。
【先行技術文献】
【特許文献】
【０００６】
【特許文献１】特開２０１０−２２９７９０号公報
【発明の概要】
【発明が解決しようとする課題】
【０００７】
本発明は、かかる課題の認識に基づいてなされたものであり、簡単に二重トラップを解消することができる設備専用の排水トラップ及びこれに用いられる封水筒を提供することを目的とする。
【課題を解決するための手段】
【０００８】
第１の発明は、１つの水周り設備のみに用いられる設備専用の排水トラップにおいて封水を貯留する封水貯留部に着脱可能に取り付けられる封水筒であって、上方部と、前記上方部の下方側に配置された下方部と、を備え、前記封水貯留部に取り付けられた状態において、前記上方部の下端は、前記封水貯留部の封水の最高水位よりも上方に配置されるとともに、前記下方部の一部は前記最高水位よりも下方に配置され、前記下方部の少なくとも一部の硬さは、前記上方部の硬さよりも低く、前記封水貯留部に取り付けられた状態において、前記下方部の前記少なくとも一部の上端は前記最高水位よりも上方に配置されることを特徴とする封水筒である。
【０００９】
この封水筒によれば、ハサミなどの切断手段で下方部の上方部よりも硬さの低い部分を切断し易くすることができる。そして、誤って二重トラップになってしまった場合に、切断手段で下方部における最高水位よりも上方の部分を切断することにより、排水トラップのトラップ機能を失わせることができる。これにより、大掛かりな工事などを行わなくても、簡単に二重トラップを解消することができる。
【００１０】
第２の発明は、第１の発明において、前記下方部は、前記最高水位よりも上方の部分において切断されることにより、前記排水トラップのトラップ機能を失わせることができることを特徴とする封水筒である。
【００１１】
第３の発明は、第１又は第２の発明において、前記下方部の少なくとも一部の色は、前記上方部の色よりも濃いことを特徴とする封水筒である。
【００１２】
この封水筒によれば、色の違いにより、切断すべき箇所を分かり易くすることができる。誤って封水の最高水位よりも下方の位置で下方部を切断してしまうことを抑制し、切断の作業性を向上させることができる。また、下方部の少なくとも一部の色を濃くすることにより、下方部を切断していない状態で排水トラップを使用する場合に、下方部の少なくとも一部に付着したカビや汚れなどを目立ち難くすることもできる。
【００１３】
第４の発明は、１つの水周り設備のみに用いられる設備専用の排水トラップであって、封水を貯留する封水貯留部と、第１〜第３の発明のいずれか１つの封水筒と、を備えたことを特徴とする排水トラップである。
【００１４】
この排水トラップによれば、誤って二重トラップになってしまった場合に、下方部を取り外したり、下方部における最高水位よりも上方の部分を切断したりすることにより、排水トラップのトラップ機能を失わせることができる。これにより、大掛かりな工事などを行わなくても、簡単に二重トラップを解消することができる。
【発明の効果】
【００１５】
本発明の態様によれば、簡単に二重トラップを解消することができる設備専用の排水トラップ及びこれに用いられる封水筒が提供される。
【図面の簡単な説明】
【００１６】
【図１】第１の実施形態に係る排水トラップを表す斜視断面図である。
【図２】第１の実施形態に係る排水トラップを表す斜視断面図である。
【図３】図３（ａ）及び図３（ｂ）は、第１の実施形態に係る封水筒を表す斜視断面図である。
【図４】図４（ａ）及び図４（ｂ）は、第１の実施形態に係る排水トラップを表す断面図である。
【図５】二重トラップの状態を表す参考図である。
【図６】図６（ａ）及び図６（ｂ）は、第２の実施形態に係る封水筒を表す斜視断面図である。
【図７】第３の実施形態に係る封水筒を表す斜視断面図である。
【図８】第３の実施形態に係る封水筒の変形例を表す斜視断面図である。
【図９】図９（ａ）及び図９（ｂ）は、第４の実施形態に係る排水トラップを表す断面図である。
【発明を実施するための形態】
【００１７】
以下、実施形態について図面を参照しつつ説明する。なお、各図面中、同様の構成要素には同一の符号を付して詳細な説明は適宜省略する。  
（第１の実施形態）  
図１及び図２は、第１の実施形態に係る排水トラップを表す斜視断面図である。  
図１及び図２に表したように、排水トラップ１０は、封水貯留部１２と、封水筒１４と、を備える。排水トラップ１０は、水周り設備の１つであるユニットバス１００に用いられる。排水トラップ１０は、複数の水周り設備に共通に用いられる排水トラップ（排水枡）ではなく、１つの水周り設備のみに用いられ、１つの水周り設備からの排水のみを受ける設備専用の排水トラップである。
【００１８】
封水貯留部１２は、中空状に形成され、内部の空間に封水を貯留する。封水貯留部１２は、受入口２０と、流入口２２と、流出口２４と、を有する。受入口２０は、ユニットバス１００の洗い場１０２の凹部１０４の底部に設けられた排水口１０６に接続される。流入口２２は、配管１０８を介して浴槽１１０の排水口１１２に接続される。流出口２４は、排水管１１４に接続される。流出口２４は、例えば、封水貯留部１２の下端よりも上方に配置され、側方を向いて設けられる。これにより、例えば、封水貯留部１２において、流出口２４よりも下方の領域に封水を溜めることが可能となる。
【００１９】
受入口２０及び排水口１０６は、例えば、カバー１１６によって覆われる。カバー１１６は、例えば、凹部１０４内に嵌め込まれ、洗い場１０２と略面一になる。洗い場１０２からの排水は、凹部１０４とカバー１１６との間に空く隙間から受入口２０及び排水口１０６に流入する。
【００２０】
封水貯留部１２は、受入口２０及び流入口２２から流入した水を流出口２４から流出させる。換言すれば、封水貯留部１２は、流入した水を流出口２４を介して排水管１１４に流出させる。
【００２１】
封水筒１４は、略円筒状である。封水筒１４は、受入口２０から封水貯留部１２の内部に挿入された状態で、封水貯留部１２に取り付けられる。換言すれば、封水筒１４は、受入口２０から下方に延びるように封水貯留部１２に取り付けられる。
【００２２】
封水筒１４の外周面には、封水貯留部１２の受入口２０の近傍に設けられた複数の係合爪２６のそれぞれに係合する複数の係合溝１４ａが設けられている。封水筒１４は、各係合溝１４ａを各係合爪２６に係合させることにより、封水貯留部１２に着脱可能に取り付けられる。また、封水筒１４は、各係合溝１４ａと各係合爪２６との係合により、上下方向の位置が決められる。これにより、例えば、封水貯留部１２内に流入した排水などで封水筒１４が浮き上がってしまうことを抑制することができる。
【００２３】
また、封水筒１４の外周面には、例えば、ゴムなどの弾性体によるパッキンが設けられ、封水貯留部１２に取り付けられた状態において、封水貯留部１２の内周面との間に空く隙間を埋める。封水筒１４は、封水貯留部１２に取り付けられた状態において、封水貯留部１２と封水筒１４との間に空く隙間をパッキンで埋めることにより、封水貯留部１２内の空間と洗い場１０２側の空間とが連通してしまうことを抑制する。洗い場１０２の排水口１０６から受入口２０に流入した水は、封水筒１４内を通って封水貯留部１２内に流入する。
【００２４】
封水筒１４の封水貯留部１２への取り付け方法は、各係合爪２６と各係合溝１４ａとの係合に限ることなく、封水筒１４を着脱可能かつ上下方向の位置を規制可能に封水貯留部１２に取り付けることができる任意の取り付け方法でよい。
【００２５】
封水筒１４は、上方部４１と、下方部４２と、を有する。上方部４１は、封水筒１４が封水貯留部１２に取り付けられた状態において、封水貯留部１２の封水の最高水位ＭＨＰよりも上方に配置される。より詳しくは、上方部４１の下端は、封水筒１４が封水貯留部１２に取り付けられた状態において、最高水位ＭＨＰよりも上方に位置する。この例において、最高水位ＭＨＰは、封水貯留部１２の容器状の本体部１２ａと流出口２４との間に設けられた封水壁１２ｂの上端によって規定される。最高水位ＭＨＰを規定する部材は、封水壁１２ｂに限定されるものではない。例えば、流出口２４の下端や、本体部１２ａと流出口２４とを接続する配管の下端などによって、最高水位ＭＨＰを規定してもよい。
【００２６】
なお、封水の最高水位ＭＨＰとは、洗い場１０２や浴槽１１０からの排水が封水貯留部１２内に流入した後、自然の状態で封水貯留部１２内に溜まり得る最高の水位である。
【００２７】
下方部４２は、上方部４１の下方側に配置されている。下方部４２は、封水筒１４が封水貯留部１２に取り付けられた状態において、一部が最高水位ＭＨＰよりも下方に配置される。すなわち、下方部４２の下端は、封水貯留部１２内の封水の水位が少なくとも最高水位ＭＨＰにある場合に、封水中に没する。
【００２８】
また、封水貯留部１２は、流入口２２を最高水位ＭＨＰよりも下方に配置する。流入口２２は、封水貯留部１２内の封水の水位が少なくとも最高水位ＭＨＰにある場合に、封水中に没する。
【００２９】
これにより、封水貯留部１２及び封水筒１４は、受入口２０及び流入口２２から流出口２４へと至る経路を封水によって遮断する。封水貯留部１２及び封水筒１４は、排水管１１４からの臭気や害虫などが浴室側に向かってしまうことを抑制する。
【００３０】
流入口２２には、例えば、封水貯留部１２内に流入した水が、配管１０８側（浴槽１１０側）に逆流することを抑制する逆止弁ユニット３０が取り付けられる。逆止弁ユニット３０は、必要に応じて設けられ、省略可能である。
【００３１】
図３（ａ）及び図３（ｂ）は、第１の実施形態に係る封水筒を表す斜視断面図である。  図３（ａ）及び図３（ｂ）に表したように、封水筒１４は、上方部４１の下端に設けられた第１螺子部４１ａと、下方部４２の上端に設けられた第２螺子部４２ａと、を有する。
【００３２】
上方部４１及び下方部４２は、略円筒状である。第１螺子部４１ａは、上方部４１の下端の外周面に設けられている。第２螺子部４２ａは、下方部４２の上端の内周面に設けられている。下方部４２の上端の内径は、上方部４１の下端の外径と実質的に同じである。これにより、下方部４２の上端は、上方部４１の下端に嵌る。そして、下方部４２は、第２螺子部４２ａを第１螺子部４１ａに螺合させる（噛み合わせる）ことにより、上方部４１の下方側に着脱可能に取り付けられる。下方部４２は、上方部４１から取り外し可能である。
【００３３】
この例において、第１螺子部４１ａは、雄螺子であり、第２螺子部４２ａは、第１螺子部４１ａに対応する雌螺子である。これとは反対に、上方部４１側を雌螺子とし、下方部４２側を雄螺子としてもよい。下方部４２は、上方部４１の内側に嵌ってもよい。
【００３４】
各係合溝１４ａは、上方部４１に設けられている。封水筒１４は、上方部４１において、封水貯留部１２に着脱可能に取り付けられる。換言すれば、上方部４１は、封水貯留部１２に着脱可能に取り付けられる。上方部４１は、各係合溝１４ａなどを介して封水貯留部１２に直接的に着脱可能に取り付けてもよいし、他の部材などを介して間接的に封水貯留部１２に着脱可能に取り付けてもよい。
【００３５】
図４（ａ）及び図４（ｂ）は、第１の実施形態に係る排水トラップを表す断面図である。  
図４（ａ）は、下方部４２が取り付けられている状態を表し、図４（ｂ）は、下方部４２が取り外されている状態を表す。なお、図４（ａ）及び図４（ｂ）では、便宜的に、流入口２２及び配管１０８の図示を省略している。  
図４（ａ）に表したように、下方部４２が取り付けられている状態では、封水筒１４（上方部４１）が封水貯留部１２に取り付けられた状態において、下方部４２の下端が、封水貯留部１２内の封水の最高水位ＭＨＰよりも下方に位置する。これにより、下方部４２が取り付けられている状態では、矢線Ａ１で表すように、少なくとも下方部４２の下端まで封水貯留部１２内に封水が溜まっている場合、封水により排水管１１４側から受入口２０側に向かう空気の流れが遮断される。従って、前述のように、悪臭や害虫などの浴室内への侵入を抑制することができる。
【００３６】
一方、図４（ｂ）に表したように、下方部４２が取り外されている状態では、封水筒１４（上方部４１）が封水貯留部１２に取り付けられた状態において、上方部４１の下端が、封水貯留部１２内の封水の最高水位ＭＨＰよりも上方に位置する。従って、下方部４２を取り外した場合には、矢線Ａ２で表すように、封水貯留部１２内に最高水位ＭＨＰまで封水が溜まっている場合にも、排水管１１４側から受入口２０側に向かう空気の流れを生じさせることができる。すなわち、排水トラップ１０では、下方部４２を取り外すことにより、排水トラップ１０のトラップ機能を簡単に失わせることができる。
【００３７】
また、図４（ａ）及び図４（ｂ）に表したように、封水筒１４には、例えば、ヘアキャッチャー３２が取り付けられる。ヘアキャッチャー３２は、例えば、封水筒１４の上方部４１に対して上方から嵌り込むことにより、封水筒１４の上方部４１に着脱可能に取り付けられる。ヘアキャッチャー３２は、受入口２０から封水貯留部１２内への水の流入を妨げることなく、毛髪などの異物が受入口２０から封水貯留部１２内に侵入してしまうことを抑制する。
【００３８】
排水トラップ１０では、下方部４２を取り外してトラップ機能を失わせた場合にも、上方部４１を残すことにより、ヘアキャッチャー３２の取り付けを適切に行うことができる。また、上方部４１を残すことにより、下方部４２を取り外した場合にも、洗い場１０２側から見た排水トラップ１０の意匠性の変化を抑制することができる。なお、図１及び図２では、便宜的にヘアキャッチャー３２の図示を省略している。ヘアキャッチャー３２は、排水トラップ１０に必要に応じて設けられ、省略可能である。
【００３９】
図５は、二重トラップの状態を表す参考図である。  
図５に表したように、例えば、戸建住宅などでは、浴室や洗濯機パンなどの複数の水周り設備で共通に使用される排水トラップ１２０が予め設けられていることがある。このため、例えば、排水トラップ１２０を有する戸建住宅に、排水トラップ１０を備えたユニットバス１００をリフォームで導入する場合などに、図５のように排水トラップ１０の下流に排水トラップ１２０を接続してしまい、二重トラップとなってしまう可能性がある。
【００４０】
排水トラップ１０がトラップ機能を有している場合、排水トラップ１０に流入した水を排水管１１４に流出させるためには、排水管１１４内の空気を抜く必要がある。しかしながら、二重トラップとなった場合には、排水トラップ１０の封水と排水トラップ１２０の封水との間に排水管１１４内の空気が閉じ込められ、空気を抜く経路が無くなってしまう。このため、二重トラップとなった場合には、排水性が悪化し、洗い場１０２側に排水が溢れたり、ボコボコという音を生じさせながら排水管１１４内の空気が排水トラップ１０を通じて洗い場１０２に逆流したりする。
【００４１】
これに対して、本実施形態に係る排水トラップ１０では、誤って二重トラップになってしまった場合に、下方部４２を取り外すことで、排水トラップ１０のトラップ機能を簡単に失わせることができる。これにより、大掛かりな工事などを行わなくても、簡単に二重トラップを解消することができる。二重トラップによる排水性の低下を抑制することができる。
【００４２】
また、排水トラップ１０では、第１螺子部４１ａと第２螺子部４２ａとの螺合により、下方部４２を簡単に着脱することができる。また、下方部４２の高い取り付け強度を得ることができ、例えば、下方部４２を取り付けた状態で排水トラップ１０を使用する場合に、排水の勢いなどで下方部４２が外れてしまうことなどを抑制することができる。
【００４３】
（第２の実施形態）  
図６（ａ）及び図６（ｂ）は、第２の実施形態に係る封水筒を表す斜視断面図である。  図６（ａ）及び図６（ｂ）に表したように、この例において、封水筒５０は、上方部５１の下端に設けられた第１係合部５１ａと、下方部５２の上端に設けられた第２係合部５２ａと、を有する。封水筒５０の第１係合部５１ａ及び第２係合部５２ａ以外の形状や使用方法などは、上記第１の実施形態の封水筒１４と同様であるから、詳細な説明は省略する。
【００４４】
第１係合部５１ａは、上方部５１の下端の外周面に設けられている。第２係合部５２ａは、下方部５２の上端の内周面に設けられている。下方部５２の上端の内径は、上方部５１の下端の外径と実質的に同じである。これにより、下方部５２の上端は、上方部５１の下端に嵌る。そして、下方部５２は、第２係合部５２ａを第１係合部５１ａに係合させることにより、上方部５１の下方側に着脱可能に取り付けられる。この例においても、下方部５２は、上方部５１から取り外し可能である。封水筒５０においても、第１係合部５１ａと第２係合部５２ａとの係合により、下方部５２を簡単に着脱することができる。
【００４５】
封水筒５０において、第１係合部５１ａは、係合突起であり、第２係合部５２ａは、第１係合部５１ａに対応する係合溝である。これとは反対に、上方部５１側を係合溝とし、下方部５２側を係合突起としてもよい。下方部５２は、上方部５１の内側に嵌ってもよい。
【００４６】
また、下方部５２は、第１係合部５１ａと第２係合部５２ａとの係合により、上方部５１と上下方向において所定の相対位置関係となる。すなわち、この例の封水筒１４は、下方部５２を上方部５１の下端に取り付けた状態で、封水筒１４を封水貯留部１２に取り付けた際に、下方部５２の下端を、封水貯留部１２内の所定の位置に配置する。
【００４７】
例えば、上記第１の実施形態の封水筒１４のように、下方部４２を螺合によって上方部４１に取り付ける場合、第１螺子部４１ａと第２螺子部４２ａとの螺合の回し具合によって、下方部４２の下端の位置が変わってしまう可能性がある。
【００４８】
これに対して、本実施形態に係る封水筒５０によれば、下方部５２が上方部５１と上下方向において所定の相対位置関係となることにより、下方部５２の下端を封水貯留部１２内の所望の位置に適切に配置することができる。これにより、封水貯留部１２の内底面と下方部５２の下端との間の距離が短くなり、ゴミなどの詰まりや排水性能の低下などが生じてしまうことを抑制することができる。
【００４９】
下方部５２の上方部５１への取り付けの構成は、螺合や係合に限ることなく、下方部５２を上方部５１から簡単に取り外すことができる任意の構成でよい。また、上記第１及び第２の実施形態では、下方部４２、５２を上方部４１、５１に対して着脱可能としている。これに限ることなく、下方部は、上方部から一度取り外すと、上方部に再び取り付けることができなくなる構成でもよい。
【００５０】
（第３の実施形態）  
図７は、第３の実施形態に係る封水筒を表す斜視断面図である。  
図７に表したように、この例では、封水筒６０の下方部６２が、上方部６１と略一体に形成されている。そして、封水筒６０において、下方部６２の硬さは、上方部６１の硬さよりも低い。例えば、下方部６２の材料は、上方部６１の材料と異なる。下方部６２は、上方部６１よりも軟質な材料で成形されている。上方部６１には、例えば、ＡＢＳ樹脂やポリプロピレン（ＰＰ）などの硬質な樹脂材料が用いられる。一方、下方部６２には、例えば、エラストマなどの軟質な樹脂材料が用いられる。
【００５１】
下方部６２は、例えば、２色成形により、上方部６１と略一体に成形される。上方部６１及び下方部６２は、例えば、それぞれ別の部品として成形した後、接着や溶着などで一体化させてもよい。
【００５２】
例えば、下方部６２を上方部６１と実質的に同じ材料とし、厚さなどを変えることによって、下方部６２の硬さが、上方部６１の硬さよりも低くなるようにしてもよい。この場合には、上方部６１と下方部６２とを一度の成形で一体に形成することができる。
【００５３】
封水筒６０において、下方部６２の色は、上方部６１の色よりも濃い。例えば、下方部６２の色の明度は、上方部６１の色の明度よりも低い。すなわち、下方部６２の色は、上方部６１の色よりも黒に近い。上方部６１の色は、例えば、アイボリーやベージュなどである。これにより、比較的明るい色としつつ、汚れなどを目立ち難くすることができる。下方部６２の色は、例えば、濃いブラウンや黒などである。これにより、汚れなどを目立ち難くすることができる。
【００５４】
このように、本実施形態に係る封水筒６０では、下方部６２の硬さが、上方部６１の硬さよりも低い。下方部６２の上端は、封水貯留部１２内の封水の最高水位ＭＨＰよりも上方に配置される。これにより、ハサミなどの切断手段で下方部６２を切断し易くすることができる。そして、誤って二重トラップになってしまった場合に、切断手段で下方部６２における最高水位ＭＨＰよりも上方の部分を切断することにより、排水トラップ１０のトラップ機能を簡単に失わせることができる。これにより、大掛かりな工事などを行わなくても、簡単に二重トラップを解消することができる。二重トラップによる排水性の低下や空気吸い込み音の発生を抑制することができる。
【００５５】
また、封水筒６０では、下方部６２の色が、上方部６１の色よりも濃い。これにより、色の違いによって、切断すべき箇所を分かり易くすることができる。誤って封水の最高水位ＭＨＰよりも下方の位置で下方部６２を切断してしまうことを抑制し、切断の作業性を向上させることができる。
【００５６】
また、下方部６２の色を濃くすることにより、下方部６２を切断していない状態で排水トラップ１０を使用する場合に、下方部６２に付着したカビや汚れなどを目立ち難くすることもできる。例えば、下方部６２にエラストマなどの軟質な材料を用いた場合、下方部６２に黒カビなどが発生してしまいやすくなる可能性がある。この際、下方部６２を予め黒に近い色としておくことにより、黒カビの視認を抑制することができる。
【００５７】
図８は、第３の実施形態に係る封水筒の変形例を表す斜視断面図である。  
図８に表したように、この例では、封水筒７０の下方部７２が、軟質部７２ａと、硬質部７２ｂと、を有する。軟質部７２ａは、上方部７１の下方側に配置される。硬質部７２ｂは、軟質部７２ａの下方側に配置される。軟質部７２ａは、上方部７１及び硬質部７２ｂと略一体に形成される。軟質部７２ａの上端は、封水貯留部１２に取り付けられた状態において、封水貯留部１２の封水の最高水位ＭＨＰよりも上方に配置される。
【００５８】
軟質部７２ａの硬さは、上方部７１の硬さよりも低い。硬質部７２ｂの硬さは、軟質部７２ａの硬さよりも高い。硬質部７２ｂの硬さは、例えば、上方部７１の硬さと実質的に同じである。すなわち、軟質部７２ａは、上方部７１及び硬質部７２ｂよりも柔らかい。軟質部７２ａには、例えば、エラストマなどが用いられる。硬質部７２ｂには、例えば、ＡＢＳ樹脂やポリプロピレン（ＰＰ）などが用いられる。
【００５９】
この封水筒７０においても、軟質部７２ｂにおける最高水位ＭＨＰよりも上方の部分を切断することにより、排水トラップ１０のトラップ機能を簡単に失わせることができる。このように、上方部７１よりも硬さの低い部分は、下方部７２の少なくとも一部でよい。下方部７２の少なくとも一部の硬さを、上方部７１の硬さよりも低くする。そして、その少なくとも一部の上端を、封水貯留部１２に取り付けられた状態において、最高水位ＭＨＰよりも上方に配置する。これにより、上述のように、封水筒７０において、排水トラップ１０のトラップ機能を簡単に失わせることが可能となる。
【００６０】
また、封水筒７０において、軟質部７２ａの色を、上方部７１の色よりも濃くする。これにより、色の違いによって、切断すべき箇所を分かり易くすることができる。誤って封水の最高水位ＭＨＰよりも下方の位置で軟質部７２ａを切断してしまうことを抑制し、切断の作業性を向上させることができる。なお、硬質部７２ｂの色は、軟質部７２ａの色と同じでもよいし、上方部７１の色と同じでもよい。
【００６１】
また、下方部７２に軟質部７２ａと硬質部７２ｂとを設ける場合には、封水筒７０が封水貯留部１２に取り付けられた状態において、軟質部７２ａの全てが、封水貯留部１２の封水の最高水位ＭＨＰよりも上方に配置されるようにしてもよい。これにより、軟質部７２ａのどこを切断しても確実に排水トラップ１０のトラップ機能を失わせることができ、より切断の作業性を向上させることができる。
【００６２】
（第４の実施形態）  
図９（ａ）及び図９（ｂ）は、第４の実施形態に係る排水トラップを表す断面図である。  
図９（ａ）及び図９（ｂ）に表したように、排水トラップ８０は、封水貯留部８１と、封水筒８２と、目皿８３と、配管８４と、を有する。この排水トラップ８０は、例えば、水周り設備の１つである洗濯機パンに用いられる。
【００６３】
封水貯留部８１は、上方に開口８１ａを有する容器状である。封水貯留部８１は、例えば、有底円筒状である。これにより、封水貯留部８１は、内部の空間に封水を貯留する。封水貯留部８１の底部には、流出口８１ｂが設けられている。流出口８１ｂには、排水管８５が挿通されている。排水管８５は、上下方向に延び、下方から封水貯留部８１内に侵入する。排水管８５の上端８５ａは、封水貯留部８１内の所定の位置に配置される。これにより、排水トラップ８０では、排水管８５の上端８５ａの位置が、封水貯留部８１の封水の最高水位ＭＨＰとなる。
【００６４】
目皿８３は、封水貯留部８１の上に取り付けられ、封水貯留部８１の上方の開口８１ａを覆う。配管８４は、例えば、目皿８３に取り付けられる。配管８４の一端は、目皿８３を介して封水貯留部８１内に配置される。配管８４の他端は、封水貯留部８１の外側に配置され、例えば、洗濯機の排水ホースと接続される。これにより、洗濯機からの排水が、排水ホース及び配管８４を介して封水貯留部８１内に流入する。
【００６５】
封水筒８２は、例えば、封水貯留部８１の上部に取り付けられ、封水貯留部８１内に設けられる。封水筒８２は、上下方向に延び、封水貯留部８１内に侵入した配管８４の一端及び排水管８５を囲む。また、封水筒８２の下端と封水貯留部８１との間には、隙間が設けられる。目皿８３は、封水筒８２よりも外側に設けられ、封水貯留部８１の内部の空間と外部の空間とを連通させる開口８３ａを有する。
【００６６】
封水筒８２は、最高水位ＭＨＰよりも上方に配置される上方部９１と、少なくとも一部が最高水位ＭＨＰよりも下方に配置される下方部９２と、を有する。下方部９２は、上方部９１から取り外し可能である。下方部９２の上方部９１への取り付けの構成は、上記第１及び第２の実施形態に関して説明したように、螺合や係合などの任意の構成でよい。あるいは、上記第３の実施形態に関して説明したように、下方部９２の硬さを上方部９１の硬さよりも低くし、下方部９２を容易に切断できるようにしてもよい。
【００６７】
封水筒８２は、配管８４と排水管８５との間を仕切る仕切り部９３と、仕切り部９３の直上に設けられ、封水筒８２内の空間と外部の空間とを連通させる連通口９４と、をさらに有する。連通口９４は、例えば、封水筒８２の軸周りに複数設けられる。この例では、仕切り部９３及び連通口９４が、下方部９２に設けられている。これとは反対に、仕切り部９３及び連通口９４は、上方部９１に設けてもよい。
【００６８】
排水トラップ８０では、配管８４を介して流入した水が、封水筒８２内を通り、連通口９４、封水筒８２の下端と封水貯留部８１との間の隙間を介して排水管８５に流入する。また、排水トラップ８０では、封水貯留部１２内の封水の水位が少なくとも最高水位ＭＨＰにある場合に、封水筒８２の下端が、封水中に没する。これにより、封水貯留部８１及び封水筒８２は、配管８４から排水管８５へと至る経路を封水によって遮断する。従って、排水管８５からの臭気や害虫などが洗濯機パン側に向かってしまうことを抑制することができる。
【００６９】
そして、図９（ｂ）に表したように、下方部９２が取り外されている状態では、上方部９１の下端が、封水貯留部８１内の封水の最高水位ＭＨＰよりも上方に位置する。従って、この排水トラップ８０においても、下方部９２を取り外す又は切断することにより、排水トラップ８０のトラップ機能を簡単に失わせることができる。これにより、排水トラップ８０においても、大掛かりな工事などを行わなくても、簡単に二重トラップを解消することができる。二重トラップによる排水性の低下を抑制することができる。
【００７０】
上記第１の実施形態では、内部に流入した水を横方向に流出させる排水トラップ１０に本発明を適用した例を示している。これに限ることなく、本実施形態に表したように、内部に流入した水を縦方向に流出させる排水トラップ８０に本発明を適用してもよい。排水トラップの構成は、上記に限ることなく、少なくとも封水貯留部と封水筒とを有する任意の構成でよい。
【００７１】
上記各実施形態では、ユニットバス及び洗濯機パンを水周り設備として示している。水周り設備は、これらに限ることなく、例えば、システムキッチン、洗面化粧台、又は小便器など、排水トラップを用いる任意の水周り設備でよい。
【００７２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、排水トラップ１０、８０、封水筒１４、５０、６０、７０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７３】
１０ 排水トラップ、  １２ 封水貯留部、  １４ 封水筒、  ２０ 受入口、  ２２ 流入口、  ２４ 流出口、  ２６ 係合爪、  ３０ 逆止弁ユニット、  ３２ ヘアキャッチャー、  ４１ 上方部、  ４１ａ 第１螺子部、  ４２ 下方部、  ４２ａ 第２螺子部、  ５０ 封水筒、  ５１ 上方部、  ５１ａ 第１係合部、  ５２ 下方部、  ５２ａ 第２係合部、  ６０ 封水筒、  ６１ 上方部、  ６２ 下方部、  ７０ 封水筒、  ７１ 上方部、  ７２ 下方部、  ７２ａ 軟質部、  ７２ｂ 硬質部、  ８０ 排水トラップ、  ８１ 封水貯留部、  ８２ 封水筒、  ８３ 目皿、  ８４ 配管、  ８５ 排水管、  ９１ 上方部、  ９２ 下方部、  ９３ 仕切り部、  ９４ 連通口、  １００ ユニットバス、  １０２ 洗い場、  １０４ 凹部、  １０６ 排水口、  １０８ 配管、  １１０ 浴槽、  １１２ 排水口、  １１４ 排水管、  １１６ カバー、  １２０ 排水トラップ
【図１】
2020197124.tif 000003
【図２】
2020197124.tif 000004
【図３】
2020197124.tif 000005
【図４】
2020197124.tif 000006
【図５】
2020197124.tif 000007
【図６】
2020197124.tif 000008
【図７】
2020197124.tif 000009
【図８】
2020197124.tif 000010
【図９】
2020197124.tif 000011